(57)【要約】【課題】  ステージ上でのパチンコ球の動きを興趣あるものとするとともに、パチンコ球の流れを多様化させて遊技性を高める。【解決手段】  飾り枠２０は始動入賞口の上方に取り付けられ、パチンコ球を滞在させるステージ４０と振り分け部３０とを備える。振り分け部３０は、遊技領域に打ち出されたパチンコ球を受ける受け皿３１と、受け皿３１からステージ４０上にパチンコ球を誘導するステージ誘導通路３２と、受け皿３１から飾り枠２０外にパチンコ球を排出する排出通路３３を備え、受け皿３１が受けたパチンコ球を振り分ける。ステージ４０は、窪部４１ｂ内に回転クルーン４２を備えた第１ステージ４１と、入賞高確率通路４５及び入賞低確率通路４６ａ，４６ｂが形成された第２ステージ４４との２段で構成されている。回転クルーン４２には、第２ステージ４４にパチンコ球を落下させるための落下孔４２ａが形成されている。【選択図】        図２
2005080823.tif 000002
【特許請求の範囲】
【請求項１】
遊技球を滞在させるステージを備えた構造物が遊技領域の入賞口上方の所定位置に設けられた遊技機であって、
前記構造物には、前記遊技領域に打ち出された遊技球を受ける受け部と、前記受け部から前記ステージ上に遊技球を誘導するステージ誘導通路と、前記受け部から前記構造物外に遊技球を排出する排出通路とを備えた遊技球振り分け部が設けられていることを特徴とする遊技機。
【請求項２】
前記ステージには、遊技球を落下させる落下孔が形成されていることを特徴とする請求項１記載の遊技機。
【請求項３】
前記ステージは、回転駆動される回転盤を備え、この回転盤には前記落下孔が形成されていることを特徴とする請求項２記載の遊技機。
【請求項４】
前記ステージには、下方に向かうにつれて次第に内径が小さくなるすり鉢状の窪部が形成され、この窪部の中央底部に前記回転盤が設置されていることを特徴とする請求項３記載の遊技機。
【請求項５】
前記回転盤には、上方に突出した突出部が形成されていることを特徴とする請求項４記載の遊技機。
【請求項６】
前記ステージは、上下に複数段設けられていることを特徴とする請求項１ないし５記載の遊技機。
【請求項７】
前記ステージの１つの段に、これより上方に位置する上段のステージから落下した遊技球を前記遊技領域の入賞口内に落下させるように導く入賞高確率通路と、前記上段のステージから落下した遊技球を前記遊技領域の入賞口外に落下させるように導く入賞低確率通路とが形成されていることを特徴とする請求項６記載の遊技機。
【請求項８】
前記構造物の前記受け部上方の部分の周面には、複数の段差が形成されていることを特徴とする請求項１ないし７いずれかに記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。このパチンコ機にはパチンコ球（遊技球）が打ち出される遊技領域が形成された遊技盤が取付け部となる本体ユニットに配設され、その遊技盤の前面がガラス板を保持したガラス枠により被覆される構成となっている。遊技盤面には、レールにより規制された遊技領域が形成され、この遊技領域には始動入賞口（スタートチャッカ）、通常入賞口、通過入賞口、アタッカ、図柄表示装置等が設けられた構成となっている。この入賞口にパチンコ球が入ることを入賞とする。このパチンコ球には一定の価値が与えられ、遊技を行って獲得したパチンコ球（景品球）を種々の景品に交換することができる。遊技者は、パチンコ球を数多く獲得することを目的とし、短期間に多数のパチンコ球を獲得できる大当たりモードに移行して遊技を行うことを楽しみとしている。
【０００３】
このようなパチンコ機では、飾り枠が遊技領域の中央部分に設けられた図柄表示装置を取り囲むように取り付けられている。この飾り枠には、パチンコ球を流入させるための開口が形成されており、この開口から飾り枠内に流入したパチンコ球をその下部に形成されたステージを介して下方に落下させる。この飾り枠の下方には始動入賞口が形成されており、パチンコ球がこの始動入賞口に入る（入賞する）と図柄表示装置が作動する。始動入賞口に入賞した場合には、図柄表示装置は、複数種類の図柄を順次表示させる図柄の可変表示を複数の表示領域で行う。大当たりモードに移行させるか否かは、始動入賞口への入賞を契機に行われる大当たり決定抽選によって決定される。この大当たり決定抽選で「大当たり」に当選すると、各表示領域で特定の図柄によって構成される図柄の組み合わせが表示され、少なくとも大当たりモードに移行する権利が得られる。遊技領域に設けられたアタッカの奥には大入賞口が設けられている。大当たりモードに移行すると、アタッカが大入賞口を開放してから閉じるまでを１ラウンドとして、継続条件が満たされたことを条件にアタッカは一定回数を限度に繰り返し作動する。１ラウンドにおいてアタッカは、大入賞口を開放した後、例えば３０秒経過するか又はパチンコ球が１０個入賞すると大入賞口を閉じる。このような大当たりモードに移行すると遊技者は大入賞口に通常より多数のパチンコ球を入賞させることができ、多数の景品球を獲得することができる。
【０００４】
飾り枠に形成されたステージは、パチンコ球を一時的に受けて滞在させる。このステージには通常、前方に向かって傾斜した通路が形成されており、この通路を通ってステージから落下したパチンコ球は、下方に設けられた始動開始口に入って入賞し易くなっている。このようなパチンコ機は、ステージ上に滞在している間のパチンコ球の動きが遊技者の興味を惹きつけるので、遊技者の遊技への緊張感を高めることができる。
【発明の開示】
【発明が解決しようとする課題】
【０００５】
しかしながら、このように構成されたパチンコ機では、飾り枠内に流入したパチンコ球は全てステージ上に導かれるようになっている。これでは、飾り枠内に流入したパチンコ球の流れは単調であって遊技の興趣が乏しい。
【０００６】
本発明は、上記課題を解決するためになされたものであり、飾り枠内に流入したパチンコ球の流れを多様化させて遊技の興趣を高めた遊技機を提供するものである。
【課題を解決するための手段】
【０００７】
上記目的を達成するために、本発明の遊技機は、遊技球を滞在させるステージを備えた構造物が遊技領域の入賞口上方の所定位置に設けられた遊技機であって、前記構造物には、前記遊技領域に打ち出された遊技球を受ける受け部と、前記受け部から前記ステージ上に遊技球を誘導するステージ誘導通路と、前記受け部から前記構造物外に遊技球を排出する排出通路とを備えた遊技球振り分け部が設けられていることを特徴とするものである。
【０００８】
なお、前記ステージには、遊技球を落下させる落下孔が形成されていることが好ましい。
【０００９】
また、前記ステージは、回転駆動される回転盤を備え、この回転盤には前記落下孔が形成されていることが好ましい。
【００１０】
また、前記ステージには、下方に向かうにつれて次第に内径が小さくなるすり鉢状の窪部が形成され、この窪部の中央底部に前記回転盤が設置されていることが好ましい。
【００１１】
また、前記回転盤には、上方に突出した突出部が形成されていることが好ましい。
【００１２】
また、前記ステージは、上下に複数段設けられていることが好ましい。
【００１３】
また、前記ステージの１つの段に、これより上方に位置する上段のステージから落下した遊技球を前記遊技領域の入賞口内に落下させるように導く入賞高確率通路と、前記上段のステージから落下した遊技球を前記遊技領域の入賞口外に落下させるように導く入賞低確率通路とが形成されていることが好ましい。
【００１４】
また、前記構造物の前記受け部上方の部分の周面には、複数の段差が形成されていることが好ましい。
【発明の効果】
【００１５】
本発明の遊技機は、遊技球を滞在させるステージを備えた構造物が遊技領域の入賞口上方の所定位置に設けられた遊技機であって、前記構造物には、前記遊技領域に打ち出された遊技球を受ける受け部と、前記受け部から前記ステージ上に遊技球を誘導するステージ誘導通路と、前記受け部から前記構造物外に遊技球を排出する排出通路とを備えた遊技球振り分け部が設けられているので、構造物内に流入した遊技球は、ステージ上に導かれるものと構造物外に排出されるものとに振り分けられて遊技球の流れが多様化し、遊技の興趣を高めることができる。また、この遊技球の振り分けによって、ステージ上に流入する遊技球の数が制限されるので、ステージ上に数多くの遊技球で混雑して遊技球の動きが単調になることを防止することができる。
【００１６】
前記ステージには、遊技球を落下させる落下孔が形成されているので、ステージ上に流入した遊技球は、ステージ上から直接落下することや落下孔を通って落下することがあり、遊技球の流れが多様化し、遊技の興趣を高めることができる。また、落下孔が複数個ある場合には、遊技球の流れがさらに多様化し、遊技の興趣をさらに高めることができる。
【００１７】
前記ステージは、回転駆動される回転盤を備え、この回転盤には前記落下孔が形成されているので、回転盤の回転に伴う落下孔の周回運動により遊技球は落下孔に入りにくくなり、ステージ上に遊技球を長く滞在させて、遊技者の興味を惹きつけることができる。
【００１８】
前記ステージには、下方に向かうにつれて次第に内径が小さくなるすり鉢状の窪部が形成され、この窪部内に前記回転盤が設置されているので、遊技球は窪部で周回運動などを行った後、回転盤に移動する。この遊技球の周回運動で遊技者の興味をさらに惹きつけることができるとともに、ステージ上に遊技球が滞在する時間をさらに長くすることができる。
【００１９】
前記回転盤には、上方に突出した突出部が形成されているので、この突出部によって遊技球が弾かれ、遊技球の動きに変化を与えて遊技の興趣をさらに高めるとともに、ステージ上に遊技球が滞在する時間をさらに長くすることができる。
【００２０】
前記ステージは、上下に複数段設けられているので、各段で順に遊技球を受けることができ、ステージ上に遊技球が滞在する時間をさらに長くすることができる。
【００２１】
前記ステージの１つの段に、これより上方に位置する上段のステージから落下した遊技球を前記遊技領域の入賞口内に落下させるように導く入賞高確率通路と、前記上段のステージから落下した遊技球を前記遊技領域の入賞口外に落下させるように導く入賞低確率通路とが形成されているので、ステージ上に滞在する遊技球の入賞確率は一定とはならず振り分けられ、遊技者の遊技への緊張感を高めることができる。
【００２２】
前記構造物の前記受け部上方の部分の周面には、複数の段差が形成されているので、この周面に沿って流下する遊技球は各段差に衝突して減速され、遊技領域を流下する勢いの強い遊技球より受け部に入りやすくなる。これにより、遊技球がステージ上に導かれることへの期待感を遊技者に与えることができる。また、この段差が形成された周面に直接衝突した遊技球は、遊技者の予想外の方向へ弾かれるので、遊技領域の遊技球の動きに変化を与えることができる。
【発明を実施するための最良の形態】
【００２３】
図１に示す遊技機の本実施形態であるパチンコ機１０は、本体ユニット１１、遊技盤ユニット１２、ガラス枠（開口枠）１３を備えている。本体ユニット１１には、パチンコ球発射装置、賞球払い出し装置、電源回路、ランプ、スピーカーなどの遊技状態に応じて作動される装置が設けられている。
【００２４】
遊技盤ユニット１２は、遊技盤１２ａと制御回路装置１２ｂとから構成されている。遊技盤１２ａの前面側の遊技領域には、図柄表示装置１４、始動入賞口（入賞口）１５、通常入賞口１６、通過入賞口１７などの所定入賞口、及びアタッカ１８、アウト口１９、飾り枠（構造物）２０などが設けられている。遊技盤１２ａの背面側には、制御回路装置１２ｂが設けられており、この制御回路装置１２ｂは、遊技状態に応じて各種装置を作動制御するものである。なお、図示は省略してあるが、遊技盤１２ａの遊技領域には複数の障害釘や風車などが適宜箇所に設けられている。また、ガラス枠１３には、この遊技領域を覆うように透明なガラス板１３ａが取り付けられている。
【００２５】
制御回路装置１２ｂは、パチンコ機１０の機種に応じた遊技を実行処理させるメイン制御基盤（メイン制御装置）１２ｃや図柄表示装置１４の表示制御、ランプの点灯制御、スピーカーから出力される音声制御などを行うサブ制御基盤（サブ制御装置）１２ｄなどから構成されている。
【００２６】
操作ハンドルＨを操作すると、遊技球としてのパチンコ球５０がパチンコ球発射装置によって一つずつ遊技盤１２ａの遊技領域に打ち出され、始動入賞口１５、通常入賞口１６、通過入賞口１７、アウト口１９のいずれかに入る。始動入賞口１５にパチンコ球５０が入った（入賞した）ときには図柄表示装置１４が作動され、表示されている図柄の可変表示が所定時間行われて当たり判定や演出処理が行われる。そして、図柄の可変表示が停止されたときに入賞有効位置上に所定の図柄の組み合わせが得られると大当たりとなり、遊技上の利益を獲得するうえで遊技者にとって通常よりも有利となる遊技状態である大当たりモードに所定期間移行される。
【００２７】
この大当たりモードに移行すると、例えば開閉可能な扉部材からなるアタッカ１８は、１回につき所定時間又はパチンコ球５０が所定個数入賞するまで開閉され、この間、アタッカ１８の奥に設けられた大入賞口は閉口状態から開口状態となる。この動作が所定回数繰り返される。始動入賞口１５、通常入賞口１６又はアタッカ１８の奥の大入賞口にパチンコ球５０が入賞すると所定個数のパチンコ球（景品球）５０が払い出される。すなわち、パチンコ球５０が入賞した場合には、その入賞口の種類に応じた個数の景品球が払い出し口２１から球受皿２２に払い出される。一方、始動入賞口１５、通常入賞口１６、アタッカ１８の奥の大入賞口のいずれにもパチンコ球５０が入賞しなかった場合には、これらのパチンコ球５０は遊技盤１２ａの下端部に形成されたアウト口１９に導かれ、ハズレ球として本体ユニット１１の内部に回収される。
【００２８】
図２に示すように、飾り枠２０は、その中央部に図柄表示装置用開口２０ａが形成され、図柄表示装置用開口２０ａの左部にパチンコ球５０を振り分ける振り分け部（遊技球振り分け部）３０が形成され、さらに、図柄表示装置用開口２０ａの下部にパチンコ球５０を一時的に滞在させるステージ４０が形成されている。飾り枠２０は、図柄表示装置１４の画面が図柄表示装置用開口２０ａから露出するように遊技盤１２ａに取り付けられる。
【００２９】
振り分け部３０は、楕円形の外周を有し、下方に向かうにつれて次第に内径が小さくなるすり鉢状をした受け皿（受け部）３１を備え、この振り分け部３０の左側面には、パチンコ球５０が遊技盤１２ａの遊技領域から受け皿３１上に流入することができるように開口された側面開口３０ａが形成されている。受け皿３１は、側面開口３０ａを通って流入したパチンコ球５０を一時的に受ける。なお、受け皿３１は、遊技盤１２ａの遊技領域に設けられた障害釘や風車などから跳ね返り、ガラス板１３ａに対向する振り分け部３０の前面に形成された前面開口３０ｂから進入したパチンコ球５０を受けることもある。また、受け皿３１の外周は楕円形に限られず、円形など適宜の形状でよい。
【００３０】
受け皿３１の底部付近には、ステージ誘導用開口３１ａ及び排出用開口３１ｂの２つの開口が形成されており、いずれの開口もパチンコ球５０の外径より１周り大きく形成されている。ステージ誘導用開口３１ａには、振り分け部３０の内部で屈曲して形成されたステージ誘導通路３２の上流側の端部が連結されており、このステージ誘導通路３２の下流側の端部には誘導通路出口３２ａが形成されている。なお、この誘導通路出口３２ａは、後述するステージ４０上の傾斜通路４１ｃに連結されている。ステージ誘導用開口３１ａからステージ誘導通路３２内に流入したパチンコ球５０は、自重によってへ流下することにより、誘導通路出口３２ａからステージ４０上に誘導される。
【００３１】
排出用開口３１ｂには、振り分け部３０の内部で下方へ延びて形成された排出通路３３の上流側の端部が連結されており、この排出通路３３の下流側の端部にはパチンコ球５０を排出する排出口３３ａが形成されている。また、この排出口３３ａは、排出通路３３が飾り枠２０外に通じるように形成されている。排出口３３ａから排出通路３３内に流入したパチンコ球５０は、自重によって流下することにより、排出口３３ａから飾り枠２０外の遊技領域に排出される。
【００３２】
従って、遊技盤１２ａの遊技領域から受け皿３１上に流入したパチンコ球５０は、例えばその楕円形の縁に沿って慣性による周回運動を行った後、ほぼ１／２の確率でステージ誘導用開口３１ａ、あるいは排出用開口３１ｂのいずれかから落下し、ステージ４０上に誘導されるか、あるいは飾り枠２０外の遊技領域へ排出される。このように、振り分け部３０は、パチンコ球５０をステージ４０上に誘導するか、あるいは飾り枠２０外に排出するかを振り分ける。これにより、ステージ４０上に導かれるパチンコ球５０の数は制限されて少なくなる。なお、受け皿３１をすり鉢状に形成したので、パチンコ球５０は受け皿３１上に止まることはなく、ステージ誘導用開口３１ａ、あるいは排出用開口３１ｂのいずれかから落下する。
【００３３】
また、飾り枠２０の振り分け部３０上方の部分の周面には、断面形状が円弧状の段差部（段差）２０ｂが２個連なるように形成されている。この周面に沿って流下するパチンコ球５０は各段差部２０ｂに衝突して減速されるので、遊技領域を流下する勢いの強いパチンコ球５０より側面開口３０ａから受け皿３１上に流入しやすくなる。これにより、パチンコ球５０がステージ４０上に導かれることへの遊技者の期待感を高めることができる。また、段差部２０ｂに直接衝突したパチンコ球５０は遊技者の予想外の方向へ弾かれるので、遊技領域でのパチンコ球５０の動きに変化を与えることができる。なお、段差部２０ｂの形状及び数は適宜に設定してよい。
【００３４】
図２〜図４に示すように、ステージ４０は、第１ステージ４１と、その下方に形成された第２ステージ４４とからなり、上下２段に構成されている。第１ステージ４１の上面４１ａの中央部には、楕円形の外周を有し、下方に向かうにつれて次第に内径が小さくなるすり鉢状の窪部４１ｂが形成され、さらに窪部４１ｂの中央底部には円盤状の回転クルーン（回転盤）４２が設置されている。この回転クルーン４２には、その中心に対して、それぞれが等角度の間隔となるように３つの落下孔４２ａが形成されており、その回転方向に隣接する各落下孔４２ａの間には上方に突出したリブ（突出部）４２ｂがそれぞれ１つずつ形成されている。
【００３５】
リブ４２ｂは、合計３つ形成されており、各リブ４２の間に流入したパチンコ球５０を落下孔４２ａに案内したり、衝突したパチンコ球５０を弾いたりするものである。なお、各落下孔４２ａは、パチンコ球５０の外径より１周り大きく形成されている。また、詳しく図示しないが、回転クルーン４２は、その側部が複数のプーリ４３により支持されており、駆動モータによって軸線Ｚを中心として回転駆動されるように構成されている。また、窪部４１ｂの外周は楕円形に限られず、円形など適宜の形状でよい。
【００３６】
さらに、第１ステージ４１の上面４１ａには、上流側の端部が振り分け部３０の誘導通路出口３２ａに連結された滑り台状の傾斜通路４１ｃが形成されており、傾斜通路４１ｃの下流側は窪部４１ｂの縁に向かって延びている。傾斜通路４１ｃは、誘導通路出口３２ａから流出したパチンコ球５０を窪部４１ｂに流入させる。窪部４１ｂは、流入したパチンコ球５０を、例えばその縁に沿って慣性による周回運動を行わせて一時的に滞在させ、その後回転クルーン４２上に流入させる。回転クルーン４２は、３つの落下孔４２ａのいずれかからパチンコ球５０を落下させる。
【００３７】
第２ステージ４４は、第１ステージ４１の下方に位置するように形成されており、パチンコ球５０を始動入賞口１５に誘導する入賞高確率通路４５と、パチンコ球５０を始動入賞口１５の左右に振分ける入賞低確率通路４６ａ，４６ｂとを有する。入賞高確率通路４５は略管状であり、遊技盤１２ａ側（後方）の上部にはパチンコ球５０を入賞高確率通路４５内に流入させる入賞高確率通路入口４５ａが形成され、ガラス板１３ａ側（前方）にはパチンコ球５０を始動入賞口１５に向かって流出させる入賞高確率通路出口４５ｂが形成されている。入賞高確率通路４５は前方に向かって傾斜しており、入賞高確率通路入口４５ａ及び入賞高確率通路出口４５ｂはパチンコ球５０の外径よりも一回り大きく形成されている。入賞低確率通路４６ａ，４６ｂは、入賞高確率通路４５の外壁４５ｃと、その側部に連なる左右の底面及び側壁とで構成されており、前方に向かって傾斜している。
【００３８】
また、入賞高確率通路入口４５ａは、回転クルーン４２の回転に伴って周回運動する各落下孔４２ａがその鉛直上方を通過するように配置されており、入賞高確率通路４５及び入賞低確率通路４６ａ，４６ｂは、周回運動する各落下孔４２ａがそれらの上方の領域内を通過するように配置されている。入賞高確率通路入口４５ａの鉛直上方にいずれかの落下孔４２ａが位置するとき、この落下孔４２ａから落下したパチンコ球５０は、その自重により入賞高確率通路４５を流下して、入賞高確率通路出口４５ｂから飾り枠２０外に流出される。飾り枠２０は入賞高確率通路出口４５ｂが始動入賞口１５の上方となるように遊技盤１２ａに取り付けられており、入賞高確率通路出口４５ｂから流出して落下したパチンコ球５０は、高確率で始動入賞口１５に入賞する。
【００３９】
また、入賞高確率通路４５の左右に位置する入賞低確率通路４６ａ，４６ｂの上方にいずれかの落下孔４２ａが位置するとき、この落下孔４２ａから落下したパチンコ球５０は、その自重により入賞低確率通路４６ａ，４６ｂを流下して飾り枠２０外に流出される。飾り枠２０は上記の様に遊技盤１２ａに取り付けられているので、入賞低確率通路４６ａ，４６ｂから流出したパチンコ球５０は始動入賞口１５から左右に逸れ、始動入賞口１５に入賞する確率は低い。なお、入賞高確率通路４５の外壁４５ｃの上方にいずれかの落下孔４２ａが位置し、この落下孔４２ａからパチンコ球５０が落下した場合には、このパチンコ球５０は外壁４５ｃによって左または右に弾かれて、入賞低確率通路４６ａまたは４６ｂのいずれかを通って流下する。
【００４０】
このように、ステージ４０は、第１ステージ４１上にパチンコ球５０を一時的に滞在させて遊技者の興味を惹きつけることの他、パチンコ球５０が始動入賞口１５に入る確率（高確率または低確率）を振り分ける。これにより、遊技者に第２ステージから落下したパチンコ球５０が始動入賞口１５に入るか否かといった緊張感を与えることができる。
【００４１】
次に、上記のように構成された本実施形態のパチンコ機１０における一連の作用について説明する。遊技者が発射ハンドルＨを操作してパチンコ球発射装置を作動させ、遊技盤１２ａの遊技領域にパチンコ球５０を打ち出すと、打ち出されたパチンコ球５０が始動入賞口１５、通常入賞口１６、通過入賞口１７のいずれかに入賞するか、あるいはアウト口１９に入る。
【００４２】
図５に示すように、遊技盤１２ａの遊技領域に打ち出されたパチンコ球５０が振り分け部３０の側面開口３０ａ（あるいは前面開口３０ｂ）に入った場合、パチンコ球５０は受け皿３１によって受けられ、受け皿３１上で周回運動などを行って一時的に滞在する。その後、パチンコ球５０は、ステージ誘導用開口３１ａに入るか、あるいは排出用開口３１ｂに入る。パチンコ球５０がステージ誘導用開口３１ａに入った場合には、パチンコ球５０はステージ誘導通路３２を通過して誘導通路出口３２ａから流出する。一方、パチンコ球５０が排出用開口３１ｂに入った場合には、パチンコ球５０は排出通路３３を通過して排出口３３ａから飾り枠２０外の遊技領域に排出される。
【００４３】
誘導通路出口３２ａから流出したパチンコ球５０は、傾斜通路４１ｃを通って第１ステージ４１上に流下して、窪部４１ｂに流入する。窪部４１ｂに流入したパチンコ球５０は、周回運動などを行って窪部４１ｂに一時的に滞在する。なお、稀に、遊技領域の障害釘や風車などから跳ね返ったパチンコ球５０が遊技領域から直接第１ステージ４１上に乗り上げることもある。パチンコ球５０は窪部４１ｂに一時的に滞在した後、回転駆動され回転状態にある回転クルーン４２上へ自重で移動し、そのまま２つのリブ４２ｂ間に流入してその間の落下孔４２ａに入るか、あるいはリブ４２ｂにより弾かれて不規則な運動を行う。このとき、パチンコ球５０はリブ４２ｂにより弾かれて再び窪部４１ｂに戻ることもあるが、パチンコ球５０は、このような動きを繰り返した後、最終的に３つの落下孔４２ａのいずれかに入って下方の第２ステージ４４に流下する。
【００４４】
図６に示すように、回転クルーン４２の回転に伴い周回運動を行っている３つの落下孔４２ａのいずれかが入賞高確率通路入口４５ａの鉛直上方に位置するとき、この落下孔４２ａから落下したパチンコ球５０は、第２ステージ４４の入賞高確率通路入口４５ａに入り、入賞高確率通路４５を通過して入賞高確率通路出口４５ｂから流出する。入賞高確率通路出口４５ｂから流出したパチンコ球５０は、始動入賞口１５に向かって落下して高確率で始動入賞口１５に入賞する。一方、入賞高確率通路入口４５ａの鉛直上方以外に位置する落下孔４２ａから落下したパチンコ球５０は、第２ステージ４４の入賞低確率通路４６ａまたは４６ｂを通って流出し、始動入賞口１５の左右に逸れて落下するので入賞確率は低い。図７は、例えばパチンコ球５０が入賞低確率通路４６ａを通って流下する様子を示す。このように、入賞低確率通路４６ａから流出したパチンコ球５０は、始動入賞口１５の左に逸れて落下する。
【００４５】
なお、上記実施形態では、振り分け部３０に、ステージ４０上にパチンコ球５０を誘導するステージ誘導通路３２と、飾り枠２０外にパチンコ球５０を排出する排出通路３３とを各々１つずつ設けたが、これに限るものではなく、これらの数は適宜に設定してよい。
【００４６】
また、上記実施形態では、ステージ４０を第１ステージ４１と第２ステージ４４との２段で構成したが、これに限るものではなく、この段数は適宜に設定してもよい。例えば、第１ステージ４１と第２ステージ４４との間に新たな段を設けてもよい。
【００４７】
また、上記実施形態では、回転クルーン４２に、その中心に対して、それぞれが等角度の間隔となるように３つの落下孔４２ａを設け、回転クルーン４２の回転方向に隣接する各落下孔４２ａの間にそれぞれ１つのリブ４２ｂを設けたが、これに限るものではなく、これらの数及び設ける位置は適宜に設定してよい。
【００４８】
また、上記実施形態では、第１ステージ４１に、回転駆動され落下孔４２ａが形成された回転クルーン４２を設けたが、この回転クルーン４２を第１ステージ４１に固定してもよく、さらには、回転クルーン４２を設けず、落下孔４２ａを直接第１ステージ４１に形成するようにしてもよい。
【００４９】
さらに、上記実施形態では、第２ステージ４４内の中央に入賞高確率通路４５を設け、その左右に２つの入賞低確率通路４６ａ，４６ｂを設けたが、これらの数及び設ける位置は適宜に設定してよい。
【図面の簡単な説明】
【００５０】
【図１】本発明を実施したパチンコ機の外観斜視図である。
【図２】飾り枠の外観斜視図である。
【図３】ステージの分解斜視図である。
【図４】図３中のＡ−Ａ線に沿うステージの縦断面図である。
【図５】振り分け部でパチンコ球が振り分けられる様子を示す斜視図である。
【図６】ステージから落下したパチンコ球が始動入賞口に入る様子を示す斜視図である。
【図７】ステージから落下したパチンコ球が始動入賞口に入らず外れる様子を示す斜視図である。
【符号の説明】
【００５１】
１０  パチンコ機
１１  本体ユニット
１２  遊技盤ユニット
１２ａ  遊技盤
１５  始動入賞口（入賞口）
２０  飾り枠（構造物）
３０  振り分け部（遊技球振り分け部）
３１  受け皿（受け部）
３１ａ  ステージ誘導用開口
３１ｂ  排出用開口
３２  ステージ誘導通路
３２ａ  誘導通路出口
３３  排出通路
３３ａ  排出口
４０  ステージ
４１  第１ステージ
４１ｂ  窪部
４２  回転クルーン（回転盤）
４２ａ  落下孔
４２ｂ  リブ（突出部）
４４  第２ステージ
４５  入賞高確率通路
４５ａ  入賞高確率通路入口
４５ｂ  入賞高確率通路出口
４６ａ，４６ｂ  入賞低確率通路
５０  パチンコ球（遊技球）
【図１】
2005080823.tif 000003
【図２】
2005080823.tif 000004
【図３】
2005080823.tif 000005
【図４】
2005080823.tif 000006
【図５】
2005080823.tif 000007
【図６】
2005080823.tif 000008
【図７】
2005080823.tif 000009